(57)【要約】 【課題】 プリンタを有する携帯型決済端末の防滴について部品点数を増やすことなく行う。【解決手段】記録用紙を収納する記録用紙カバーを備えたプリンタ部と情報を表示する表示部と本体と一端を回動可能に取りつけられて開閉可能な本体カバーとを有する携帯情報端末であって、前記記録用紙カバーは、一端を前記本体に取りつけられて回動可能であり、前記本体カバーは、閉時に前記表示部と前記プリンタ部の排紙口を覆うと共に、前記記録用紙カバーの少なくとも一部と重なることを特徴とする携帯情報端末を用いることで解決される。【選択図】図４
2011251489.tif 000002
【特許請求の範囲】
【請求項１】
記録用紙を収納する記録用紙カバーを備えたプリンタ部と情報を表示する表示部と本体と一端を回動可能に取りつけられて開閉可能な本体カバーとを有する携帯情報端末であって、
前記記録用紙カバーは、一端を前記本体に取りつけられて回動可能であり、
前記本体カバーは、閉時に前記表示部と前記プリンタ部の排紙口を覆うと共に、前記記録用紙カバーの少なくとも一部と重なることを特徴とする携帯情報端末。
【請求項２】
前記本体カバーは、前記記録用紙カバーの回動方向に対して直交方向に回動することを特徴とする請求項１に記載の携帯情報端末。
【請求項３】
さらに、前記本体カバーと前記記録用紙カバーは、前記閉時に前記本体カバーと前記記録用紙カバーが重なる部分の一方に凸部を有し、他方に凹部を有することを特徴とする請求項１または請求項２に記載の携帯情報端末。
【請求項４】
さらに、前記本体カバーは、前記表示部の表示を変化させる入力部を備えることを特徴とする請求項１から３に記載の携帯情報端末。
【発明の詳細な説明】
【技術分野】
【０００１】
本発明は、プリンタを有するハンディターミナル、携帯情報端末に関するものである。
【背景技術】
【０００２】
携帯情報端末にはタッチパネルや液晶、キー入力部を保護する本体カバーを備えるものがある。本体カバーはヒンジ部を介して本体部と本体カバーとが開閉可能に取りつけられた構造になっている。
【０００３】
特に注文入力端末では、それらの本体カバーに可撓性を有するフレキシブルプリント配線基板などを介して入力部を設けており、いわゆる見開きタイプの端末として広く用いられている。
【０００４】
携帯情報端末に搭載されるプリンタとしては、サーマルプリンタが軽量化や取り扱いが容易であることから広く普及している。
【０００５】
また、回動開閉可能な記録用紙カバーを用いるクラムシェル構造のサーマルプリンタがよく用いられる。
【０００６】
こうしたプリンタを備えた携帯情報端末を屋外で使用する場合、用紙や端末内の部品保護の観点から排紙口の防塵や防滴を考慮する必要がある。端末の排紙口の防滴は、例えば、特許文献１で開示されているような防滴カバーが用いられている。
【先行技術文献】
【特許文献】
【０００７】
【特許文献１】特許第３０８１０６８号
【発明の概要】
【発明が解決しようとする課題】
【０００８】
特許文献１に記載の防滴カバーのように記録用紙カバーに取りつけられたものは、別途部品を設ける必要があり、部品点数が増えてしまうという問題があった。
【０００９】
したがって本発明の目的は、記録用紙カバーを備えたプリンタを有する携帯情報端末に接続されて開閉可能な本体カバーを使用して部品点数を増やすことなく防滴の構成を得ることである。
【課題を解決するための手段】
【００１０】
上記の目的を達成するための本発明による携帯情報端末は以下の構成を備える。即ち、記録用紙を収納する記録用紙カバーを備えたプリンタ部と情報を表示する表示部と本体と一端を回動可能に取りつけられて開閉可能な本体カバーとを有する携帯情報端末であって、前記記録用紙カバーは、一端を前記本体に取りつけられて回動可能であり、前記本体カバーは、閉時に前記表示部と前記プリンタ部の排紙口を覆うと共に、前記記録用紙カバーの少なくとも一部と重なることを特徴とする携帯情報端末を用いることで解決される。
【発明の効果】
【００１１】
本発明は、本体カバーがプリンタの排紙口を覆うので、部品点数を増やすことなく水滴が端末内部に入るのを防ぎ、本体カバーを閉じた際に記録用紙カバーの動きが抑制されるので簡単な構成で記録用紙カバーが開いてしまうことを防ぐことができる。
【００１２】
加えて第２の発明によれば、記録用紙カバーと本体カバーの回動方向が直交することによって、両方のカバーが同一方向に開閉する場合に比べて、衝撃で両方のカバーが同時に開いてしまうことを防ぐことができる。
【図面の簡単な説明】
【００１３】
【図１】本発明の実施形態に係る携帯情報端末の本体カバーを閉じた状態の斜視図である。
【図２】本発明の実施形態に係る携帯情報端末の本体カバーを開いた状態の斜視図である。
【図３】本発明の実施形態に係るプリンタ部の開閉図である。
【図４】本発明の実施形態に係るプリンタ部と本体カバーを説明する断面図である。
【図５】実施例１に係るプリンタ部と本体カバーを説明する断面図である。
【図６】実施例２に係る携帯情報端末の本体カバーを開いた状態の斜視図である。
【発明を実施するための形態】
【００１４】
以下、本発明の実施形態について、図１から図４を用いて説明する。図中、実施例においても同じ符号は各図を通して共通である。また、本発明の実施の形態では、携帯情報端末の一例としてハンディターミナル１を例示する。
【００１５】
本発明の実施の形態における本体カバー２は、装置前面を全て覆っているものを例示している。しかし、本発明における本体カバーとは、衝撃に弱い部材を覆うカバーであって、ボタンが十分な強度であれば、表示部等衝撃に弱い部材のみを覆ったものでも構わない。
【００１６】
図１は、本発明の実施の形態に係るハンディターミナル１の本体カバー２を閉じた状態の斜視図である。図２は、本発明の実施形態に係るハンディターミナル１の本体カバー２を開いた状態の斜視図である。
【００１７】
このハンディターミナル１は、本体部９の筐体である上ケース３と下ケース４とを有し、これらはＰＣ＋ＡＢＳやＡＢＳ等の樹脂で成形されたものである。また、上ケース３の前面に、液晶表示装置５と本体部入力キー６を備えており、さらに液晶表示装置５の表面には入力装置であるタッチパネル７が備えられている。液晶表示装置５は、不図示のハンディターミナル１内部に搭載されたＣＰＵなどの演算処理部を備える。本体部入力キー６やタッチパネル７などの入力部により携帯情報端末に対して行った操作に対応して演算処理部が液晶表示装置５に各種情報の表示を行う。表示部である液晶表示装置５は本体部入力キー６の上部に配置されているが、配置関係はどのような配置関係でもよく、表示部が複数存在してもよい。
【００１８】
また、本実施の形態におけるハンディターミナル１は、ヒンジ部８を介して本体部９と液晶表示装置５及び本体部入力キー６を保護する本体カバー２が、開閉可能に取りつけられている。この本体カバー２はメンブレンシートで構成されたシートキー入力部１０が裏面に設けられているものである。本体カバー２に備えられた入力部としてシートキーを用いてあるが、開閉とともに誤操作が行われないのであればどのような形式の入力装置を用いても構わない。
【００１９】
このシートキー入力部１０の各キーには、注文や発注などに使用されるあらかじめ登録された操作内容が登録されている。シートキー入力部１０も本体部入力キー６やタッチパネル７と同様な入力部としての機能を持ち、シートキー入力部１０の各キーへの操作を行っても液晶表示装置５の表示は変化する。登録内容によっては、シートキー入力部１０の各キーのいずれかを液晶表示装置５の表示を変化させないキーを設定することもできる。
【００２０】
また、シートキー入力部１０は、導体パターンを形成したテール部１２を備えており、テール部１２がヒンジ部８から上ケース３の開口部を通して本体内部の基板へと伸ばすことにより、シートキー入力部１０と本体部９とを電気的に接続するように構成されている。ハンディターミナル１は、入力内容にしたがって印刷を行うプリンタ部１４を備えている。
プリンタ部１４は、下ケース４の端部に回転自在に取りつけられて回動可能な記録用紙カバー１７を備える。
【００２１】
図３（ａ）は本体カバー２が開き、記録用紙カバー１７が閉じた状態を示しており、図３（ｂ）は、本体カバー２が開き、記録用紙カバー１７が開いた状態を示している。
【００２２】
また、図４は本体カバー２と記録用紙カバー１７が共に閉じられた状態を示すプリンタ部１４の断面図である。収納部１６の端部には、排紙口１８が形成されている。
【００２３】
紙経路１９上には、サーマル式の印字ヘッド２０と、該印字ヘッド２０の対向位置で、記録用紙であるロール紙１５を搬送するプラテンローラ２１と、ロール紙１５を切断するカッター２２とが配置されている。プラテンローラ２１は、記録用紙カバー１７の側面にあるプラテン保持部に軸受部を介して回転自在に取り付けられている。
【００２４】
図３（ｂ）に示す記録用紙カバー１７が回動し開かれた状態では、記録用紙カバー１７に備えられたプラテンローラ２１が、印字ヘッド２０から退避する。つまり、ロール紙１５を交換する際には、記録用紙カバー１７を開いてロール紙１５を収納部１６に収納した後、ロール紙１５の一端側を排紙口１８の外部まで引き出し、この状態で記録用紙カバー１７を閉じることにより、ロール紙１５が紙経路１９に沿ってセットされる。
【００２５】
また、記録用紙カバー１７は、二つのロック部２４を備えており、閉じた際に本体部の筐体である上ケース３の片側は不図示の二つのロック係合部２８に係止される。このロック部２４は、記録用紙カバー１７の左右端部にレバー式フック形状で構成されている。
【００２６】
ロック解除動作は、両側にあるロック解除部２３をつまむようにして押す操作で行われる。このロック部２４により、記録用紙カバー１７が開くのを防止し、印字中にプラテンローラ２１がプラテン保持部１８から脱落することを防ぐことができる。なお、この記録用紙カバー１７を本体部の筐体に係止及び解除させる方法は、どのような方法を用いても構わない。
【００２７】
次に本発明の実施の形態に係る本体カバー２の構成を図１、図２、図４を用いて説明する。
【００２８】
図２に示すように、本体カバー２には、閉時に本体部の筐体である上ケース３の係合部２５と係合する係止部２６を係合部２５に対応する位置に備えている。入力操作を行う際に本体カバー２を開け、使用しない場合は閉じることで表示部である液晶表示装置５と入力部である本体部入力キー６などを保護する構成となっている。
【００２９】
本体カバー２の上部にはプリンタ排紙口１８を覆う排紙口保護部２７が本体カバー２の一部として設けられている。排紙口保護部２７は、閉時においてプリンタ排紙口１８を覆うことで、そこから水滴や埃が端末内部に進入して故障することを防ぐことができる。
【００３０】
さらに、排紙口保護部２７は、図４の断面図に示すように本体カバー２の閉時にはプリンタ排紙口１８を覆うと共に記録用紙カバー１７に重なっている。回動可能なカバーで用紙を保護する構造であれば、本体カバー２が係合部２５と係止部２６で閉じられているとき、記録用紙カバー１７の回動が抑止されるので記録用紙カバー１７は開けない。なお、本実施の形態では、この本体カバー２は記録用紙カバー１７の回動方向に対して直交方向に回動する構成である。これにより、両方のカバーが同一方向に開閉する場合に比べて、各々が開く方向の力が異なるためより開きにくい構造となっている。
【００３１】
記録用紙カバー１７が開いてしまうと、水滴や埃が端末内部に進入しやすい状態になる。先に述べた記録用紙カバー１７がロック部２４を備えるため本体カバー２と記録用紙カバー１７のどちらかが閉じられていれば、落下衝撃等の力が加わった場合にも記録用紙カバー１７が開いて、ロール紙１５が転がり落ちることも防ぐことができる。
【００３２】
ロック部２４とロック係合部２８の係止力は、それらの大きさに比例する。本体カバー２により二つの閉じ部があることで、小型化しても閉時の係止力を確保することができる。
【００３３】
本体カバー２の閉時は、ハンディターミナル１を使用していない状況である。そのため操作者は移動などの大きな動作を行う可能性が高い。移動中に落下させると衝撃もより大きなものとなる。
【００３４】
また、本体カバー２にシートキー入力部１０が備えられている場合、防滴効果と入力機能の多様化の効果を得ることができるため、入力部を増やすことによる大型化を回避し小型化に貢献することができる。
【００３５】
また、機械的に嵌めあいを行うだけでなく、係合部２５と係合する係止部２６や本体カバー２と記録用紙カバー１７の排紙口保護部２７に重なっている部分などに磁石や磁石に対して引力を発生する鉄などの材料を貼り付けることや素材内に混合を行うことで、引力を発生させ係止力を強化することもできる。
【００３６】
以上本発明の実施の形態を図面に沿って説明したが、クラムシェル構造に限らず、回動可能な記録用紙カバーを用いる場合や本体カバーを下ケースの端部に回転自在に取りつけるなど変形例においても本発明の思想を適用しうる。
【実施例１】
【００３７】
第１の実施例について図５を用いて説明する。図５のハンディターミナルは、記録用紙カバー１７と接触し回動を抑止している排紙口保護部２７に排紙口１８に沿って凸状の変形部２９を持たせた構造となっている。記録用紙カバー１７は、凸状の変形部２９に合わせて凹状の変形部を持たせている。凸状の変形部に対応した凹部周辺に水適の受け部が形成されるので、さらに水滴が進入しにくい構造となる。また排紙口保護部２７が凹部を有し、記録用紙カバー１７が凸部を有してもよい。
【００３８】
本体カバー２の部品はプラスチック素材であり、成型金型で成型されるため多少の変形は、コストを上げずに行うことができる。変形部２９は、ゴムなどの樹脂性の弾性体を設けることもできる。この場合、凹部がなくとも弾性体により密着性を高めプリンタ排紙口１８へのゴミの進入を簡単な構成で防ぐことができる。変形部２９は、密着性の良さから弾性体が好ましいが、どのような材質のものでも構わない。排紙口保護部２７に接着されるものであれば、携帯情報端末を操作する上では、部品点数を増やすことなく本体カバー２として、取り扱うことができる。
【００３９】
本実施例において、本体カバー２に変形部２９を持たせると、本体カバー２が閉時には、記録用紙カバー１７は排紙口保護部２７が平坦である場合より、引っかかりが生まれるため、より強固に記録用紙カバー１７を固定できる。
【実施例２】
【００４０】
第２の実施例について図６を用いて説明する。図６の携帯情報端末は、係止部２５、係合部２６を複数設けている。
【００４１】
係止部２５、係合部２６をプリンタ部１４に近い部分に設けることにより、記録用紙カバー１７への係止力を強化することができる。
【００４２】
好ましくは、係止部２５、係合部２６は、本体カバー２の中央部付近もしくは、テール部１２と対向する位置と排紙口１８の直線上を含む位置にあると本体カバー２も開きにくく、記録用紙カバー１７への係止力を向上させることができる。
【００４３】
特に、排紙口１８の直線上を含む位置の係止力を強化すると、本体カバー２の密着性をより高め、本体カバー２による防滴の性能を高めることができる。
【００４４】
本実施例に実施例１の変形部の構成を組み合わせると、係止部２５、係合部２６が変形部２９の近くにあるため変形部２９の位置決めをより正確に行うことができるため防滴性能をさらに向上させることができる。
【符号の説明】
【００４５】
１  ハンディターミナル
２  本体カバー
５  液晶表示装置
７  タッチパネル
８  ヒンジ部
９  本体部
１０  シートキー入力部
１２  テール部
１４  プリンタ部
１５  ロール紙
１６  収納部
１７  記録用紙カバー
１８  プリンタ排紙口
２５  係合部
２６  係止部
２７  排紙口保護部
２９  変形部
【図１】
2011251489.tif 000003
【図２】
2011251489.tif 000004
【図３】
2011251489.tif 000005
【図４】
2011251489.tif 000006
【図５】
2011251489.tif 000007
【図６】
2011251489.tif 000008